(57)【要約】【課題】顔認証が成功しなかった場合に、顔認証に用いた撮影した顔画像を表示部の記憶性表示体に表示して不正抑止効果のある携帯端末等を提供すること。【解決手段】撮像部１２０を備え、前記撮像部１２０で顔画像を撮像し、前記撮像した顔画像を元に認証部１４０にて顔認証を行い、前記顔認証が成功しなかった場合に、記憶性表示体を含む表示部１５０が前記撮像した顔画像を表示することを特徴とする携帯端末１０。【選択図】図２
2010277504.tif 000002
【特許請求の範囲】
【請求項１】
撮像部と、
表示体を有する表示部と、
前記撮像部で撮像された顔画像を元に顔認証を行う認証部と、
前記認証部が行った前記顔認証が成功しなかった場合に、撮像された前記顔画像を前記表示部に表示する制御部と、
を含むことを特徴とする顔認証装置。
【請求項２】
請求項１に記載の顔認証装置であって、
前記表示体は、前記顔画像を記憶して表示を維持する記憶性表示体であることを特徴とする顔認証装置。
【請求項３】
請求項１または２に記載の顔認証装置であって、
指示信号を受け付ける入力部を有し、
前記表示部は、前記入力部が受け付けた指示信号に基づいて、前記顔認証が成功しなかった場合に表示した前記顔画像の表示を中止することを特徴とする顔認証装置。
【請求項４】
請求項１ないし３のいずれか一項に記載の顔認証装置を備えた携帯端末。
【請求項５】
撮像部と、画像を表示する表示体とを有し、前記表示体に顔画像を表示する顔画像表示方法であって、
認証対象者の前記顔画像を前記撮像部で撮像する工程と、
撮像された前記顔画像の顔認証を行う工程と、
前記顔認証が成功しなかった場合に、前記表示体に撮像された前記顔画像を表示する工程と
を備えたことを特徴とする顔画像表示方法。
【請求項６】
請求項５に記載の顔画像表示方法であって、
前記表示体は、前記顔画像を記憶して表示を維持する記憶性表示体であることを特徴とする顔画像表示方法。
【請求項７】
請求項５または６に記載の顔画像表示方法であって、
指示信号を受け付ける工程と、
受け付けた前記指示信号に基づいて、前記顔認証が成功しなかった場合に表示した前記顔画像の表示を中止する工程と
を備えたことを特徴とする顔画像表示方法。
【発明の詳細な説明】
【技術分野】
【０００１】
本発明は、顔認証装置、顔認証を行う携帯端末、及び顔画像表示方法に関するものである。
【背景技術】
【０００２】
記憶性表示体を有する電子ペーパーを備えたカードと前記カードの情報の変更を行なうカードシステムが提案されている。
例えば特許文献１は、カード情報の更新の際にバイオメトリクスによる認証を実施するものである。また、カード利用者本人であることを第三者に示すため、カード上の前記電子ペーパーに本人の顔、指紋等の人体の一部または全部の情報のいずれかを表示するものである。そして前記カード情報更新に際してのバイオメトリクス認証においては、予め備える情報との照合が一定回数以上連続して一致しない場合、カード会社に自動通知が行われるようにしている。
【先行技術文献】
【特許文献】
【０００３】
【特許文献１】特開２００４−３０４０６号公報
【発明の概要】
【発明が解決しようとする課題】
【０００４】
しかしながら、前記の特許文献１では、バイオメトリクス認証に一定回数以上失敗してもカード会社にその旨が自動通知されるだけであり、不正抑止効果が期待しにくい。
例えば、不正目的で認証を試みる者がいた場合でも、カード会社に自動通知されるまで不正に認証の試行を繰り返す可能性がある。
【課題を解決するための手段】
【０００５】
本発明は、上記課題の少なくとも一部を解決するように、以下の形態、または適用例として実現される。
【０００６】
［適用例１］本適用例に記載の顔認証装置は、撮像部と、表示体を有する表示部と、前記撮像部で撮像された顔画像を元に顔認証を行う認証部と、前記認証部が行った前記顔認証が成功しなかった場合に、撮像された前記顔画像を前記表示部に表示する制御部と、を含むことを特徴とする。
本適用例によれば、顔認証に失敗した場合などに、撮像した顔画像を表示部に表示する。この際、不正認証を試みようとする者は不正を働いている自分自身の顔を前記表示部に見ることになるため、不正抑止効果が期待できる。
【０００７】
［適用例２］上記顔認証装置であって、前記表示体は、前記顔画像を記憶して表示を維持する記憶性表示体であることを特徴とする。
本適用例によれば、仮に不正を試みた者が自らの顔画像表示を消そうと装置の破壊を試みても、電源供給なしで表示を維持する記憶性表示体の特性上、表示部から顔画像の表示を消すことは困難である。こうしたことから不正認証を試みること自体を抑止することが期待できる。ここで、記憶性表示体の具体例としては、例えば、電子ペーパーが挙げられる。
【０００８】
［適用例３］上記顔認証装置であって、管理者の指示信号を受け付ける入力部を有し、前記表示部は、前記入力部が受け付けた指示信号に基づいて、前記顔認証が成功しなかった場合に表示した前記顔画像の表示を中止することを特徴とする。
本適用例によれば、正当な利用者が一時的に顔認証に失敗しても、管理者に申し出ることによって、顔画像の表示を中止することができる。
【０００９】
［適用例４］上記顔認証装置を備えた携帯端末。
本適用例の携帯端末によれば、顔認証が所定の結果の場合、例えば認証に失敗した場合などに、撮像した顔画像を表示部に表示する。この際、不正認証を試みようとする者は不正を働いている自分自身の顔を前記表示部に見ることになるため、不正抑止効果が期待できる。また、正当な利用者が一時的に顔認証に失敗しても再度顔認証を試みて成功させるか、管理者に相談すればすむのに対し、不正認証を試みた者は不正を管理者に申し出ない限り自分の顔画像が表示され続けてしまう。仮に不正を試みた者が自らの顔画像表示を消そうと携帯端末の破壊を試みても、電源供給なしで表示を維持する記憶性表示体の特性上、表示部から顔画像の表示を消すことは困難である。こうしたことから不正認証を試みることを抑止することが期待できる。
【００１０】
［適用例５］本適用例に記載の顔画像表示方法は、撮像部と、画像を表示する表示体とを有し、前記表示体に顔画像を表示する顔画像表示方法であって、認証対象者の前記顔画像を前記撮像部で撮像する工程と、撮像された前記顔画像の顔認証を行う工程と、前記顔認証が成功しなかった場合に、前記表示体に撮像された前記顔画像を表示する工程とを備えたことを特徴とする。
この方法によれば、顔認証が所定の結果の場合、例えば認証に失敗した場合などに、撮像した顔画像を表示部に表示する。この際、不正認証を試みようとする者は不正を働いている自分自身の顔を前記表示部に見ることになるため、不正抑止効果が期待できる。
【００１１】
［適用例６］上記顔画像表示方法であって、前記表示体は、前記顔画像を記憶して表示を維持する記憶性表示体であることを特徴とする。
この方法によれば、仮に不正を試みた者が自らの顔画像表示を消そうと装置の破壊を試みても、電源供給なしで表示を維持する記憶性表示体の特性上、表示部から顔画像の表示を消すことは困難である。こうしたことから不正認証を試みること自体を抑止することが期待できる。
【００１２】
［適用例７］上記顔画像表示方法であって、指示信号を受け付ける工程と、受け付けた前記指示信号に基づいて、前記顔認証が成功しなかった場合に表示した前記顔画像の表示を中止する工程とを備えたことを特徴とする。
この方法によれば、正当な利用者が一時的に顔認証に失敗しても、管理者に申し出ることによって、顔画像の表示を中止することができる。
【図面の簡単な説明】
【００１３】
【図１】第一実施形態の一例に係る携帯端末の全体構成図である。
【図２】第一実施形態の一例に係る携帯端末の機能ブロック図である。
【図３】第一実施形態の一例に係る携帯端末のハードウェアブロック図である。
【図４】第一実施形態の一例に係る顔認証処理の流れを示すフローチャートである。
【図５】第一実施形態の一例に係る顔認証結果に応じ表示させる顔画像の模式図である。
【図６】変形例の一例に係る顔認証装置の機能ブロック図である。
【図７】第二実施形態の一例に係る顔認証装置の全体構成図である。
【図８】第二実施形態の一例に係る制御装置の構成図である。
【図９】第二実施形態の一例に係る顔認証装置の機能ブロック図である。
【図１０】第二実施形態の一例に係る制御装置のハードウェアブロック図である。
【発明を実施するための形態】
【００１４】
以下、本発明を、携帯端末、および顔認証装置に適用した場合をそれぞれ例に採り、図面を参照しつつ説明する。なお、以下に示す実施形態は、特許請求の範囲に記載された発明の内容を何ら限定するものではない。また、以下の実施形態に示す構成の全てが、特許請求の範囲に記載された発明の解決手段として必須であるとは限らない。
【００１５】
（第一実施形態の説明）
第一実施形態では、携帯端末利用時の認証に顔認証を用いる例を説明する。
【００１６】
図１は第一実施形態の一例に係る携帯端末１０の全体構成図である。同図に示すように、携帯端末１０は記憶性表示体１６０を含んで構成されており、入力手段として、例えば、スイッチ１７０を備える。携帯端末１０は、例えば、文書ファイル類を格納し、ユーザーが携帯して持ち歩き、所望の場所で文書ファイル類を記憶性表示体１６０に表示して閲覧、編集するものである。
【００１７】
図２は第一実施形態の一例に係る携帯端末１０の機能ブロック図である。同図に示すように、携帯端末１０はユーザーからの入力を受け付ける入力インターフェイス１１０と、ユーザーの顔を撮像する撮像部１２０と、撮影された顔画像（以下、「顔画像」という。）を格納し管理する撮影像管理部１３０と、撮影像管理部１３０が管理する顔画像に対して顔認証を行う認証部１４０と、顔画像を表示する表示部１５０と、撮像部１２０に撮像をさせ、また表示部１５０の表示を制御する制御部１８０と、を含んで構成されている。認証部１４０は、例えば、認証すべき人物の顔画像の情報をあらかじめ備えていてもよい。制御部１８０は、同図に示すように、例えば、入力インターフェイス１１０からの入力に基づき、撮像部１２０に顔認証用の顔画像を撮像させることが可能である。また、制御部１８０は、入力インターフェイス１１０からの入力、もしくは認証部１４０の認証結果に応じて、表示部１５０に顔認証用に撮像した顔画像を表示させたり、表示を終了させたりしても良い。
【００１８】
上述した携帯端末１０の各部の機能を実装するためのハードウェアとしては、例えば、以下のものを適用できる。
【００１９】
図３は第一実施形態の一例に係る携帯端末１０のハードウェアブロック図である。図３に示すように、携帯端末１０は、入力インターフェイス１１０、撮像部１２０、撮影像管理部１３０、認証部１４０、表示部１５０、制御部１８０を有している。
なお、入力インターフェイス１１０としては、例えば、スイッチ２７０、タッチパネル、スタイラスペン等が含まれる。また、撮像部１２０としては、例えば、カメラ２８０、ＲＡＭ２３０、ＲＯＭ２４０、ＣＰＵ２１０等が含まれる。また、撮影像管理部１３０としては、例えば、ＣＰＵ２１０、ＲＡＭ２３０、ＲＯＭ２４０、ＨＤＤ２６０、フラッシュメモリー２５０等が含まれる。また、認証部１４０としては、例えば、ＣＰＵ２１０、ＲＡＭ２３０、ＲＯＭ２４０、ＨＤＤ２６０、画像処理回路等が含まれる。また、表示部１５０としては、例えば、ディスプレードライバー２２０、記憶性表示体としての電子ペーパー等が含まれる。また、制御部１８０としては、例えば、ＣＰＵ２１０、ＲＡＭ２３０、ＲＯＭ２４０等が含まれる。
【００２０】
なお、これらの各部はシステムバス２００を介して相互に情報をやり取りすることが可能である。
また、これらの各部は回路のようにハードウェア的に実装してもよいし、ドライバーのようにソフトウエア的に実装してもよい。
【００２１】
以下、これらの各部を用いた顔認証処理（顔画像表示方法）について説明する。図４は第一実施形態の一例に係る顔認証処理の流れを示すフローチャートである。また、図５は第一実施形態の一例に係る顔認証結果に応じて表示させる顔画像の模式図の一例である。
【００２２】
携帯端末１０の利用にあたり、まず、ユーザーは、入力インターフェイス１１０のスイッチ２７０，１７０を操作する。これに応じて制御部１８０は認証部１４０に顔認証を開始させる。
【００２３】
顔認証に使う顔画像を用意するため、制御部１８０は撮像部１２０に顔画像を撮像（ステップＳ３００）させ、撮影された顔画像を撮影像管理部１３０に格納する。
認証部１４０は撮影像管理部１３０より前記ステップＳ３００で撮像した顔画像を取得し、顔認証を実施する（ステップＳ３１０）。より具体的には、例えば、認証部１４０は撮像した顔画像の特徴を画像処理等によって抽出し、予め認証部１４０に備える対応するユーザーの特徴と前記抽出した特徴を比較して認証を実施してもよい。認証部１４０としては既存の顔認証アルゴリズムや既存の専用回路を活用しても良い。
【００２４】
顔認証が成功しなかった場合（ステップＳ３２０：ＮＯ）、制御部１８０は表示部１５０に前記ステップＳ３００で撮像した顔画像を表示させる（ステップＳ３４０）。併せて、制御部１８０は再試行により顔認証が成功するか、管理者による操作を受けない限り顔画像を表示し続ける、継続表示制御を携帯端末１０に施す（ステップＳ３５０）。ここで、継続表示制御下では、携帯端末１０は顔画像を表示し続けており、例えば、顔認証の再試行など限られた操作しかできない制御状態に置かれてもよい。
これは、顔認証が成功しなかった場合、不正認証を試みられた可能性があるため、顔画像の継続表示制御を行うことで、不正認証の試みを抑止するためのものである。
なお、前記ステップＳ３４０で表示され、ステップＳ３５０で継続表示制御がなされる顔画像の一例が図５であり、顔画像の他に不正の可能性がある旨を明示する文言を併せて表示しても良い。
【００２５】
一方、顔認証が成功した場合（ステップＳ３２０：ＹＥＳ）、携帯端末１０が顔画像の継続表示制御の状態にあればこれを解除し（ステップＳ３３０）、顔認証処理は終了する。
【００２６】
このように、正当な携帯端末１０利用者が、何らかの理由で一時的に顔認証が成功せず、携帯端末１０が一時的に継続表示制御下におかれた場合であっても、再度顔認証を試みて成功させることで、継続表示制御を解除して顔認証を終了させることができる。
【００２７】
図４のフローチャートとは別に、管理者から入力される指示信号を受け付ける工程と、受け付けられた指示信号に基づいて行なわれる顔認証が成功しなかった場合に、表示した顔画像の表示を中止する工程とを備えることとしてもよい。詳述すると、入力インターフェイス１１０を通じた入力（入力された指示信号）が、管理者の入力によるものと制御部１８０が認めた場合、制御部１８０は表示部１５０に表示させている顔画像の継続表示を終了させることとしてもよい。ここで、制御部１８０が管理者による入力と判断する具体的方法としては、例えば、入力インターフェイス１１０に対するパスワード等の入力が、制御部１８０が予め格納する管理者のパスワードと一致する、と制御部１８０が認めた場合などである。
【００２８】
以上のように、第一実施形態によれば、認証に成功しなかった場合などに、撮像した顔画像を表示部に表示する。これにより、不正認証を試みようとする者は不正を働いている自分自身の顔を前記表示部に見ることになるため、不正抑止効果を得ることが可能となる。
【００２９】
また、第一実施形態によれば、顔認証に成功しなかった場合、別途顔認証に成功するか、あるいは管理者による操作を受けない限り前記表示部１５０が顔画像を表示し続ける。これにより、正当な利用者が一時的に顔認証に失敗しても再度顔認証を試みて成功させるか、管理者に相談すればすむのに対し、不正認証を試みた者は不正を管理者に申し出ない限り自分の顔画像が表示され続けてしまうため、不正認証を試みることを抑止することが可能となる。
【００３０】
また、第一実施形態によれば、顔認証に成功しなかった場合、別途顔認証に成功するか、あるいは管理者による操作を受けない限り、携帯端末１０が顔認証の再試行など限られた操作しかできない制御状態に置かれてもよい。これにより、正当な利用者として認証が済んでいない利用者の携帯端末１０の利用を制限し、携帯端末１０のセキュリティーを向上させることができる。
【００３１】
また、第一実施形態によれば、顔認証に成功しなかった場合、別途顔認証に成功するか、あるいは管理者による操作を受けない限り前記表示部１５０が顔画像を表示し続ける。これにより、携帯端末１０は通信機能を用いることなく、不正認証の試みに対し、その場で第一実施形態の不正抑止効果を供与できる。つまり、通信機能を持たない携帯端末１０の場合でも不正抑止効果を供与でき、また通信機能を持つ携帯端末１０の場合には通信向けの電力消費を負うことなく不正抑止効果を供与できる。
【００３２】
また、第一実施形態によれば、表示部１５０に電子ペーパーを採用しているため、消費電力に配慮が必要な携帯端末１０であっても、顔画像の表示を容易に継続することができ、第一実施形態の不正抑止効果を消費電力を気にすることなく強化できる。
更に、表示部１５０に電子ペーパーを採用しているため、仮に不正を試みた者が自らの顔画像表示を消そうと携帯端末１０の破壊を試みても、電源供給なしで表示を維持する電子ペーパーの特性上、表示部１５０から顔画像の表示を消すことは困難である。これにより、第一実施形態の不正抑止効果を強化できる。
【００３３】
（変形例）
以上、本発明を適用した好適な実施形態について説明してきたが、本発明の適用は上述した実施形態に限定されない。例えば、上述した実施形態では、携帯端末１０への適用を記述したが、この変形例として携帯端末に限らず顔認証装置に適用しても良い。
【００３４】
図６は変形例の一例に係る顔認証装置の機能ブロック図である。例えば、顔認証装置は複数の機器から構成されても良い。例えば、図６では、制御装置５０、カメラ６１０、表示部を有する表示装置６２０、情報記憶媒体６３０よりなる。例えばこれらは、制御装置５０の制御の元、動作する。具体的には、例えば、制御部５５０が外部機器インターフェイス５４０を介してカメラ６１０、表示装置６２０と連携した顔認証処理のフローを制御しても良い。もちろんこれら機器の一部が制御装置５０の一部であってもよく、また制御装置５０の一部の機能が別の機器から構成されても良い。
【００３５】
また、顔認証装置は、情報記憶媒体６３０からソフトウエアを入手して機能しても良い。また、制御装置５０はコンピューター等の汎用機器で実現されてもよく、あるいは専用装置で実現されても良い。また、汎用機器と専用装置の組合せで実現されても良い。
【００３６】
本変形例によれば、表示部に電子ペーパーを採用しているため、消費電力に配慮が必要な顔認識装置であっても、顔画像の表示を容易に継続することができ、変形例の不正抑止効果を消費電力を気にすることなく強化できる。
また、本変形例によれば、情報記憶媒体よりソフトウエアを入手することによって、顔認証装置に一連の顔認証処理フローを動作させることができる。
【００３７】
（第二実施形態の説明）
第二実施形態ではゲート等通過時の認証に顔認証装置を用いる例を説明する。
【００３８】
図７は第二実施形態の一例に係る顔認証装置８０の全体構成図である。顔認証装置８０は、例えばゲート等に備え付けられた扉９０を人が通過する際の認証に用いられる。同図に示すように、扉９０には、例えば、ゲートロック９１０が備えられており、通常は施錠されている。顔認証装置８０により顔認証が成功すると、例えば、ゲートロック９１０が一時的に開錠され、認証を得た人の通過が可能になる。
【００３９】
同図に示すように、顔認証装置８０は、例えば、制御装置７０、カメラ８１０を備えて構成され、電源供給手段としてソーラーパネル８２０を含んでも良い。制御装置７０は顔認証装置８０全体の制御を行うとともに、ゲート等の通過を希望する人が現れた際に顔認証を実施し、顔認証の結果をゲートロック９１０に送信する。もし、顔認証が失敗した場合、制御装置７０はその一部である表示部に撮影した顔画像を継続的に表示する。カメラ８１０は、制御装置７０の制御に応じ、ゲート等の通過を希望する人の顔を撮影する。
【００４０】
図８は第二実施形態の一例に係る制御装置７０の構成図である。同図に示すように、制御装置７０は記憶性表示体７１０を備えており、スイッチ７２０を含んで構成されても良い。ゲート等の通過を希望する人は、例えば、制御装置７０のスイッチ７２０を操作することで、顔認証を開始することができる。もし、顔認証が失敗した場合、制御装置７０は撮影した顔画像を記憶性表示体７１０に継続的に表示する。
【００４１】
図９は第二実施形態の一例に係る顔認証装置８０の機能ブロック図である。同図に示すように、顔認証装置８０は電源供給部８３０、カメラ８１０、制御装置７０を備える。電源供給部８３０は、例えば、ソーラーパネル８２０、電池、発電機、ＡＣ／ＤＣコンバーター等である。
【００４２】
また、制御装置７０は、ゲート等の通過希望者が操作する入力インターフェイス７３０と、カメラ８１０やゲートロック９１０等の外部機器と情報のやり取りをする外部機器インターフェイス７５０と、撮影された顔画像を格納して管理する撮影像管理部７６０と、撮影像管理部７６０が管理する顔画像に対して顔認証を行う認証部７４０と、顔画像を表示する表示部７７０と、カメラ８１０やゲートロック９１０を制御すると共に、表示部７７０の表示を制御する制御部７８０を含んで構成されている。認証部７４０は、例えば、認証すべき人物の顔画像の情報をあらかじめ備えていてもよい。制御部７８０は、同図に示すように、例えば、入力インターフェイス７３０からの入力に基づき、外部機器インターフェイス７５０を介して、カメラ８１０に顔認証用の顔画像を撮像させることが可能である。また、例えば、制御部７８０は、認証部７４０の顔認証結果を外部機器インターフェイス７５０を介して、ゲートロック９１０に送信することが可能である。更に、制御部７８０は、入力インターフェイス７３０からの入力、もしくは認証部７４０の認証結果に応じて、表示部７７０に顔認証用に撮像した顔画像を表示させたり、表示を終了させたりしても良い。撮影像管理部７６０は、撮影した顔画像を外部機器インターフェイス７５０を通じてカメラ８１０より取得し、格納し、管理する。
【００４３】
上述した制御装置７０の各部の機能を実装するためのハードウェアとしては、例えば、以下のものを適用できる。
図１０は第二実施形態の一例に係る制御装置７０のハードウェアブロック図である。例えば、入力インターフェイス７３０としては、例えば、スイッチ２７０、タッチパネル等、外部機器インターフェイス７５０としては、例えば、ＵＳＢインターフェイス２９０等、撮影像管理部７６０としては、例えば、ＣＰＵ２１０、ＲＡＭ２３０、ＲＯＭ２４０、ＨＤＤ２６０、フラッシュメモリー２５０等、認証部７４０としては、例えば、ＣＰＵ２１０、ＲＡＭ２３０、ＲＯＭ２４０、ＨＤＤ２６０、画像処理回路等、表示部７７０としては、例えば、ディスプレードライバー２２０、記憶性表示体としての電子ペーパー等、制御部７８０としては、例えば、ＣＰＵ２１０、ＲＡＭ２３０、ＲＯＭ２４０等を用いて実装できる。
【００４４】
尚、これらの各部はシステムバス２００を介して相互に情報をやり取りすることが可能である。
また、これらの各部は回路のようにハードウェア的に実装してもよいし、ドライバーのようにソフトウエア的に実装してもよい。
【００４５】
以下、これらの各部を用いた顔認証処理（顔画像表示方法）について説明する。
図４は第一実施形態の一例の説明に用いたが、第二実施形態の一例に係る顔認証処理の流れを示すフローチャートでもある。また、図５も第一実施形態の一例の説明に用いたが、第二実施形態の一例に係る顔認証結果に応じて表示させる顔画像の模式図の一例でもある。ゲート等に備え付けられた扉９０の通過にあたり、まず、ユーザーは、入力インターフェイス７３０のスイッチ２７０，７２０を操作する。これに応じて制御部７８０は認証部７４０に顔認証を開始させる。
【００４６】
顔認証に使う顔画像を用意するため、制御部７８０は外部機器インターフェイス７５０を介し、カメラ８１０に顔画像を撮像（ステップＳ３００）させ、顔画像を、外部機器インターフェイス７５０を介し、撮影像管理部７６０に格納する。認証部７４０は撮影像管理部７６０より前記ステップＳ３００で撮像した顔画像を取得し、顔認証を実施する（ステップＳ３１０）。
【００４７】
より具体的には、例えば、認証部７４０は撮像した顔画像の特徴を画像処理等によって抽出し、予め認証部７４０に備えられている、対応するユーザーの特徴と前記抽出した特徴を比較して認証を実施してもよい。認証部７４０としては既存の顔認証アルゴリズムや既存の専用回路を活用しても良い。
【００４８】
顔認証が成功しなかった場合（ステップＳ３２０：ＮＯ）、制御部７８０は表示部７７０に前記ステップＳ３００で撮像した顔画像を表示させる（ステップＳ３４０）。併せて、制御部７８０は再試行により顔認証が成功するか、管理者による操作を受けない限り顔画像を表示し続ける、継続表示制御を顔認証装置８０に施す（ステップＳ３５０）。ここで、継続表示制御下では、顔認証装置８０は顔画像を表示し続けており、例えば、顔認証の再試行など限られた操作しかできない制御状態に置かれてもよい。
【００４９】
これは、顔認証が成功しなかった場合、不正認証を試みられた可能性があるため、顔画像の継続表示制御を行うことで、不正認証の試みを抑止するためのものである。
尚、前記ステップＳ３４０で表示され、ステップＳ３５０で継続表示制御がなされる顔画像の一例が図５であり、顔画像の他に不正の可能性がある旨を明示する文言を併せて表示しても良い。また、管理者への連絡先を更に明記しても良い。
【００５０】
一方、顔認証が成功した場合（ステップＳ３２０：ＹＥＳ）、顔認証装置８０が顔画像の継続表示制御の状態にあればこれを解除し（ステップＳ３３０）、顔認証処理は終了する。
【００５１】
このように、正当な顔認証装置８０利用者が、何らかの理由で一時的に顔認証が成功せず、顔認証装置８０が一時的に継続表示制御下におかれた場合であっても、再度顔認証を試みて成功させることで、継続表示制御を解除して顔認証を終了させることができる。
【００５２】
図４のフローチャートとは別に、管理者から入力される指示信号を受け付ける工程と、受け付けられた指示信号に基づいて行なわれる顔認証が成功しなかった場合に、表示した顔画像の表示を中止する工程とを備えることとしてもよい。詳述すると、入力インターフェイス７３０を通じた入力が、管理者によるものと制御部７８０が認めた場合、制御部７８０は表示部７７０に表示させている顔画像の継続表示を終了させてもよい。ここで、制御部７８０が管理者による入力と判断する具体的方法としては、例えば、入力インターフェイス７３０に対するパスワード等の入力が、制御部７８０が予め格納する管理者のパスワードと一致する、と、制御部７８０が認めた場合などである。
【００５３】
以上のように、第二実施形態によれば、認証に成功しなかった場合などに、撮像した顔画像を表示部に表示する。これにより、不正認証を試みようとする者は不正を働いている自分自身の顔を前記表示部に見ることになるため、不正抑止効果を得ることが可能となる。
【００５４】
また、第二実施形態によれば、顔認証に成功しなかった場合、別途顔認証に成功するか、あるいは管理者による操作を受けない限り前記表示部７７０が顔画像を表示し続ける。これにより、正当な利用者が一時的に顔認証に失敗しても再度顔認証を試みて成功させるか、管理者に相談すればすむのに対し、不正認証を試みた者は不正を管理者に申し出ない限り自分の顔画像が表示され続けてしまうため、不正認証を試みることを抑止することが可能となる。
【００５５】
また、第二実施形態によれば、顔認証に成功しなかった場合、別途顔認証に成功するか、あるいは管理者による操作を受けない限り、顔認証装置８０が顔認証の再試行など限られた操作しかできない制御状態に置かれてもよい。これにより、例えば顔認証装置８０が多様な機能を有している場合でも、正当な利用者として認証が済んでいない利用者の顔認証装置８０の利用を制限し、顔認証装置８０のセキュリティーを向上させることができる。
【００５６】
また、第二実施形態によれば、顔認証に成功しなかった場合、別途顔認証に成功するか、あるいは管理者による操作を受けない限り前記表示部７７０が顔画像を表示し続ける。これにより、通信手段の乏しい場所に設置された顔認証装置８０であっても、不正認証の試みに対し、通信手段を新たに用意することなく、その場で第二実施形態の不正抑止効果を供与できる。
【００５７】
また、第二実施形態によれば、表示部７７０に電子ペーパーを採用しているため、電源供給手段の乏しい場所に設置する可能性のある顔認証装置８０であっても、顔画像の表示を消費電力を気にすることなく継続することができ、第二実施形態の不正抑止効果を強化できる。
【００５８】
また、第二実施形態によれば、電源供給部８３０にソーラーパネル８２０を採用しているため、電源供給手段の乏しい場所であっても顔認証装置８０を駆動することができ、電源供給手段を新たに用意することなく、第二実施形態のゲート等の通過時の認証を実施できる。
【００５９】
ここで、通信手段の乏しい場所、電源供給手段の乏しい場所とは、例えば、農場・農園・果樹園・ビニールハウス・山林、倉庫、工事・建設現場、等であり、第二実施形態ではそれらにあるゲート等の通過時の認証用を例に顔認証装置８０を説明している。
【００６０】
更に、表示部７７０に電子ペーパーを採用しているため、仮に不正を試みた者が自らの顔画像表示を消そうと顔認証装置８０の破壊を試みても、電源供給なしで表示を維持する電子ペーパーの特性上、表示部７７０から顔画像の表示を消すことは困難である。これにより、第二実施形態の不正抑止効果を強化できる。
【符号の説明】
【００６１】
１０  携帯端末、５０  制御装置、７０  制御装置、８０  顔認証装置、９０  ゲート、１１０  入力インターフェイス、１２０  撮像部、１３０  撮影像管理部、１４０  認証部、１５０  表示部、１６０  記憶性表示体、１７０  スイッチ、１８０  制御部、２００  システムバス、２１０  ＣＰＵ、２２０  ディスプレードライバー、２３０  ＲＡＭ、２４０  ＲＯＭ、２５０  フラッシュメモリー、２６０  ＨＤＤ、２７０  スイッチ、２８０  カメラ、２９０  ＵＳＢインターフェイス、５１０  入力インターフェイス、５２０  認証部、５３０  撮影像管理部、５４０  外部機器インターフェイス、５５０  制御部、６１０  カメラ、６２０  表示装置、６３０  情報記憶媒体、７１０  記憶性表示体、７２０  スイッチ、７３０  入力インターフェイス、７４０  認証部、７５０  外部機器インターフェイス、７６０  撮影像管理部、７７０  表示部、７８０  制御部、８１０  カメラ、８２０  ソーラーパネル、９１０  ゲートロック。
【図１】
2010277504.tif 000003
【図２】
2010277504.tif 000004
【図３】
2010277504.tif 000005
【図４】
2010277504.tif 000006
【図５】
2010277504.tif 000007
【図６】
2010277504.tif 000008
【図７】
2010277504.tif 000009
【図８】
2010277504.tif 000010
【図９】
2010277504.tif 000011
【図１０】
2010277504.tif 000012